(57)【要約】【課題】印刷機を構成する印刷ユニット、給紙ユニット、排紙ユニット、その他のユニットに設置されるパネルの交換作業を容易化できる印刷機を提供すること。【解決手段】この印刷機１は、印刷機を構成する印刷ユニット３１、給紙ユニット、排紙ユニット、その他のユニットを有する。また、少なくとも一つのユニット３１を操作するための操作パネルあるいは少なくとも一つのユニット３１の状態を表示するための表示パネル（以下、単にパネル３２という。）がユニット３１に配置されている。ここで、この印刷機１では、これらのパネル３２が印刷ユニット３１の本体部に対して磁石３３を介して取り付けられている。そして、この磁石３３の吸着力によって、パネル３２が保持されている。【選択図】        図２
2009073063.tif 000002
【特許請求の範囲】
【請求項１】
印刷機を構成する印刷ユニット、給紙ユニット、排紙ユニット、その他のユニットを有すると共に、少なくとも一つの前記ユニットを操作するための操作パネルあるいは少なくとも一つの前記ユニットの状態を表示するための表示パネル（以下、単にパネルという。）が当該ユニットに配置されている印刷機であって、
前記パネルが前記ユニットに対して磁石を介して取り付けられることを特徴とする印刷機。
【請求項２】
前記ユニットに凹部が設けられ、前記パネルが前記凹部に嵌め込まれて配置される請求項１に記載の印刷機。
【請求項３】
前記凹部と前記パネルとの嵌め合わせにかかる隙間ｔがｔ≦１［ｍｍ］の範囲内にある請求項２に記載の印刷機。
【請求項４】
前記磁石が前記凹部内に配置される請求項２または３に記載の印刷機。
【請求項５】
前記パネルの前面と前記ユニットの壁面とが同一面上にある、或いは、前記パネルの前面が前記ユニットの壁面よりも前記ユニットの内部側にある請求項２〜４のいずれか一つに記載の印刷機。
【請求項６】
前記パネルと前記凹部との嵌め合わせ部に工具挿入用の切欠部が設けられる請求項２〜５のいずれか一つに記載の印刷機。
【請求項７】
前記磁石が前記ユニット側に固定される請求項１〜６のいずれか一つに記載の印刷機。
【請求項８】
前記磁石が前記パネルに対して背面側から吸着する請求項７に記載の印刷機。
【請求項９】
前記磁石が前記ユニットにネジ留めされて固定される請求項７または８に記載の印刷機。
【請求項１０】
前記ユニットに係留部が設けられ、前記磁石が前記係留部に係止されて固定される請求項８または９に記載の印刷機。
【請求項１１】
前記磁石が永久磁石である請求項１〜１０のいずれか一つに記載の印刷機。
【請求項１２】
前記磁石が長尺構造を有し、かつ、その長手方向を鉛直方向に向けて配置される請求項１〜１１のいずれか一つに記載の印刷機。
【発明の詳細な説明】
【技術分野】
【０００１】
この発明は、印刷機に関し、さらに詳しくは、印刷機を構成する印刷ユニット、給紙ユニット、排紙ユニット、その他のユニットに設置されるパネルの交換作業を容易化できる印刷機に関する。
【背景技術】
【０００２】
近年の印刷機では、印刷ユニットを制御操作するためのパネルが印刷ユニットの本体部に取り付けられている。
【０００３】
かかる構成を採用する従来の印刷機（グラビア印刷装置）として、特許文献１に記載される技術が知られている。従来の印刷機は、複数の印刷ユニットが所定間隔おきに配列され、各印刷ユニットにはそれぞれ、版胴及び各種印刷用補助部材を含む印刷用機構部と、この印刷用機構部に対する制御操作部とが設けられているグラビア印刷装置において、上記印刷ユニットの印刷用機構部が印刷ユニット配列方向と直交する方向を長手方向とするように配設されるとともに、この印刷用機構部の長手方向一端側に制御操作部が配置され、この制御操作部は各種操作スイッチが配設されたパネルを有し、このパネルが印刷用機構部の長手方向と直交する面に対して片側に傾斜した壁面に設けられていることを特徴とする。
【０００４】
【特許文献１】特開平１１−２９１４６２号公報
【発明の開示】
【発明が解決しようとする課題】
【０００５】
しかしながら、従来の印刷機では、印刷ユニットのパネルが印刷ユニットに対してネジ留め或いはナット締めされて固定される。このため、パネルの交換作業時にて、これらのネジ等を取り外す必要がある、このため、パネルの交換作業が煩わしく、また、その交換作業に長時間を要するという課題がある。
【０００６】
そこで、この発明は、上記に鑑みてされたものであって、印刷機を構成する印刷ユニット、給紙ユニット、排紙ユニット、その他のユニットに設置されるパネルの交換作業を容易化できる印刷機を提供することを目的とする。
【課題を解決するための手段】
【０００７】
上記目的を達成するため、この発明にかかる印刷機は、印刷機を構成する印刷ユニット、給紙ユニット、排紙ユニット、その他のユニットを有すると共に、少なくとも一つの前記ユニットを操作するための操作パネルあるいは少なくとも一つの前記ユニットの状態を表示するための表示パネル（以下、単にパネルという。）が当該ユニットに配置されている印刷機であって、前記パネルが前記ユニットに対して磁石を介して取り付けられることを特徴とする。
【０００８】
この印刷機では、パネルが印刷ユニットに対して磁石を介して取り付けられる（磁石の吸着力により保持される）ので、印刷ユニットに対するパネルの交換作業（着脱作業）が容易化される利点がある。
【０００９】
また、この発明にかかる印刷機は、前記ユニットに凹部が設けられ、前記パネルが前記凹部に嵌め込まれて配置される。
【００１０】
この印刷機では、パネルが凹部に嵌め込まれたまま磁石の吸着力によって保持される。かかる構成では、印刷ユニットの壁面上にパネルが載せられて取り付けられる構成と比較して、パネルが安定的に配置される利点がある。
【００１１】
また、この発明にかかる印刷機は、前記凹部と前記パネルとの嵌め合わせにかかる隙間ｔがｔ≦１［ｍｍ］の範囲内にある。
【００１２】
この印刷機では、印刷ユニットの凹部とパネルとの隙間ｔが狭く設定されるので、パネルが印刷ユニットの凹部にぴったりと嵌め込まれる。これにより、パネルが安定的に保持される利点がある。
【００１３】
また、この発明にかかる印刷機は、前記磁石が前記凹部内に配置される。
【００１４】
この印刷機では、磁石が印刷ユニットの内部（凹部内）に配置され、この磁石によってパネルが吸着されて保持される。かかる構成では、磁石が印刷ユニットの外部にある構成と比較して、磁石が印刷ユニットの外部から見え難い。これにより、印刷ユニットの外観性が向上する利点がある。
【００１５】
また、この発明にかかる印刷機は、前記パネルの前面と前記ユニットの壁面とが同一面上にある、或いは、前記パネルの前面が前記ユニットの壁面よりも前記ユニットの内部側にある。
【００１６】
この印刷機では、パネルの一部が印刷ユニットの壁面から突出しないように、パネルが印刷ユニットの壁面に埋設されることが好ましい。かかる構成では、パネルの一部が印刷ユニットの壁面から突出する構成と比較して、パネルが邪魔にならないという利点がある。
【００１７】
また、この発明にかかる印刷機は、前記パネルと前記凹部との嵌め合わせ部に工具挿入用の切欠部が設けられる。
【００１８】
この印刷機では、パネルの交換作業時にて、切欠部に対して工具（例えば、マイナスドライバー等）が挿入されてパネルが凹部から取り外される。これにより、パネルの交換作業が容易化される利点がある。
【００１９】
また、この発明にかかる印刷機は、前記磁石が前記ユニット側に固定される。
【００２０】
この印刷機では、磁石が印刷ユニット側に固定され、この磁石によりパネルが吸着されて保持される。かかる構成では、パネルの交換時にて、パネルのみを印刷ユニットから取り外して交換できる。これにより、パネルの交換作業が容易化される利点がある。
【００２１】
また、この発明にかかる印刷機は、前記磁石が前記パネルに対して背面側から吸着する。
【００２２】
この印刷機では、パネルの設置状態にて磁石がパネルの前面側（パネルシート側）から見えないので、印刷ユニットの外観性が向上する利点がある。
【００２３】
また、この発明にかかる印刷機は、前記磁石が前記ユニットにネジ留めされて固定される。
【００２４】
この印刷機では、簡易な構成にて、磁石が印刷ユニットに対して安定的に固定される利点がある。
【００２５】
また、この発明にかかる印刷機は、前記ユニットに係留部が設けられ、前記磁石が前記係留部に係止されて固定される。
【００２６】
この印刷機では、簡易な構成にて、磁石が印刷ユニット３１に対して固定される利点がある。
【００２７】
また、この発明にかかる印刷機は、前記磁石が永久磁石である。
【００２８】
この印刷機では、安価かつ簡易な構成にて、パネルが安定的に保持される利点がある。
【００２９】
また、この発明にかかる印刷機は、前記磁石が長尺構造を有し、かつ、その長手方向を鉛直方向に向けて配置される。
【００３０】
この印刷機では、パネルが鉛直方向に対して効率的に支持される。これにより、パネルが安定的に保持される利点がある。
【発明の効果】
【００３１】
この発明にかかる印刷機では、パネルがユニットに対して磁石を介して取り付けられる（磁石の吸着力により保持される）ので、ユニットに対するパネルの交換作業（着脱作業）が容易化される利点がある。
【発明を実施するための最良の形態】
【００３２】
以下、この発明につき図面を参照しつつ詳細に説明する。なお、この実施例によりこの発明が限定されるものではない。また、この実施例の構成要素には、発明の同一性を維持しつつ置換可能かつ置換自明なものが含まれる。また、この実施例に記載された複数の変形例は、当業者自明の範囲内にて任意に組み合わせが可能である。
【実施例】
【００３３】
図１は、この発明の実施例にかかる印刷機を示す構成図である。図２〜図７は、図１に記載した印刷機のパネルの固定構造を示す説明図である。図８〜図１２は、図２に記載した印刷機のパネルの固定構造の変形例を示す説明図である。
【００３４】
［印刷機］
この印刷機１は、例えば、枚葉印刷機であり、給紙部２と、印刷部３と、排紙部４とを有する（図１参照）。給紙部２は、給紙ユニット２１を有する。この給紙ユニット２１は、セットされた印刷用のシートを繰り出して印刷部３に供給する。具体的には、複数枚のシートが積層されて給紙ユニット２１に載置され、これらシートが一枚ずつ順に取り上げられて印刷部３に搬送される。印刷部３は、複数の印刷ユニット３１により構成される。各印刷ユニット３１は、例えば、Ｃ（シアン）、Ｍ （マゼンダ）、Ｙ （イエロー）及びＢＬ（ブラック）などの４つの異なる印刷色にそれぞれ対応しており、シートＳの搬送ライン上に一列に配列される。この印刷部３では、給紙部２から供給されたシートに対して、複数の印刷ユニット３１が順次オフセット印刷することにより、カラー印刷が行われる。排紙部４は、排紙ユニット４１を有する。この排紙ユニット４１は、印刷部３にて印刷されたシートを搬送して排紙する。
【００３５】
なお、印刷機１は、各ユニット２１、３１、４２の他に、例えば、シートにコーティングを施すコータユニットや、その他のユニットを有しても良い（図示省略）。また、これらのユニットに対しても、各ユニット２１、３１、４２の構成が適用されうる。
【００３６】
［印刷ユニットのパネル］
また、印刷部３は、複数のパネル３２を有する（図１〜図４参照）。これらのパネル３２は、各印刷ユニット３１を制御操作するための操作パネル、各印刷ユニット３１の状態を表示するための表示パネルなどであり、印刷ユニット３１毎にそれぞれ配置される（図１および図２参照）。このパネル３２は、例えば、各印刷ユニット３１の本体部３１１の通路側の壁面に配置される。
【００３７】
各パネル３２は、基板部３２１と、パネル部３２２と、パネルシート部３２３とを有する（図４参照）。基板部３２１は、対応する印刷ユニット３１を操作するための基板であり、印刷ユニット３１に対してケーブル３２４を介して接続される。この基板部３２１には、複数のスイッチが配列される。パネル部３２２は、例えば、スチール製の板状部材から成り、パネル３２の本体を構成する。このパネル部３２２には、基板部３２１の各スイッチに対応する孔がそれぞれ設けられる。パネルシート部３２３は、パネル３２の操作面（表面）を覆うためのシートである。パネル３２は、これらの基板部３２１、パネル部３２２およびパネルシート部３２３が層状に組み合わされて構成される。また、パネル３２は、全体として略四角形の板状形状を有し、パネルシート部３２３側の平面を印刷部３の通路側に向けて配置される。なお、パネル３２の厚みｄは、略６０［ｍｍ］である。
【００３８】
ここで、各パネル３２は、印刷ユニット３１に対して磁石３３を介して取り付けられる（図２および図３参照）。すなわち、パネル３２は、印刷ユニット３１に対して磁石３３の吸着力により保持されて固定される。例えば、この実施例では、一つのパネル３２が印刷ユニット３１の本体部３１１に対して４つ磁石３３を用いて取り付けられている。
【００３９】
なお、この実施例では、上記のように、パネル３２が基板３２１を有するが（図４参照）、この基板３２１が省略される場合がある（図示省略）。例えば、パネル部が操作ボタンを有する或いは単なる表示用パネルから成り、このパネル部が印刷ユニットに対してケーブルを介して接続される場合がある。
【００４０】
［効果］
この印刷機１では、パネル３２が印刷ユニット３１に対して磁石３３を介して取り付けられる（磁石３３の吸着力により保持される）ので、印刷ユニット３１に対するパネル３２の交換作業（着脱作業）が容易化される利点がある。また、パネル３２の交換作業に要する時間が短縮される利点がある。また、パネル３２の取り付け構造が簡素化されるので、印刷ユニットの外観性が向上する利点がある。
【００４１】
例えば、パネルが印刷ユニットに対してネジ留め或いはナット締めされて固定される構成では、パネルの交換作業時にて、これらのネジ等を取り外す必要がある、このため、パネルの交換作業が煩わしく、また、その交換作業に長時間を要するという問題がある。また、交換作業時に、取り付け用のネジ等が落下するおそれがある。また、取り付けられたネジ等によって、印刷ユニットの外観が損なわれるという問題もある。また、パネルの清掃時にて、ネジの配置部分の汚れが取れ難いため、印刷機の清掃が行い難いという問題もある。
【００４２】
なお、この実施例では、パネル３２が印刷ユニット３１に設置される構成を一例として説明した（図２および図３参照）。しかし、これに限らず、上記の構成は、パネルが給紙ユニット２１あるいは排紙ユニット４１に設置される構成にも同様に適用できる（図示省略）。
【００４３】
［付加的事項１］
また、この印刷機１では、印刷ユニット３１に凹部３１２が設けられ、パネル３２がこの凹部３１２に嵌め込まれて配置されることが好ましい（図２、図３および図６参照）。すなわち、パネル３２が凹部３１２に嵌め込まれたまま磁石３３の吸着力によって保持される。かかる構成では、印刷ユニットの壁面上にパネルが載せられて取り付けられる構成と比較して、パネル３２が安定的に配置される利点がある。
【００４４】
また、上記の構成では、印刷ユニット３１の凹部３１２とパネル３２との嵌め合わせ部分の隙間ｔがｔ≦１［ｍｍ］の範囲内にあることが好ましい（図７参照）。かかる構成では、印刷ユニット３１の凹部３１２とパネル３２との隙間ｔが狭く設定されるので、パネル３２が印刷ユニット３１の凹部３１２にぴったりと（密着した状態で）嵌め込まれる。これにより、パネル３２が安定的に保持される利点がある。特に、印刷機１の稼働時には、印刷ユニット３１に振動が発生する。したがって、隙間ｔの範囲が適正化されることにより、振動によるパネル３２の落下や破損が効果的に低減される利点がある。
【００４５】
例えば、この実施例では、パネル３２が全体として略四角形の板状形状を有している（図４参照）。また、印刷ユニット３１の本体部３１１には、このパネル３２の外周形状と略同一形状を有する凹部３１２が設けられている（図６参照）。そして、この凹部３１２に対してパネル３２が嵌め込まれて配置されている（図３参照）。また、このとき、パネル３２の鉛直方向上側および水平方向両側の外周面と、凹部３１２の内壁面との隙間ｔがｔ≦１［ｍｍ］の範囲に設定されている（図７参照）。また、パネル３２の底面が凹部３１２の内壁面に当接している。これにより、パネル３２が印刷ユニット３１の凹部３１２にぴったりと嵌め込まれている。
【００４６】
また、上記の構成では、磁石３３が印刷ユニット３１の凹部３１２内に配置されることが好ましい（図６参照）。すなわち、磁石３３が印刷ユニット３１の内部（凹部３１２内）に配置され、この磁石３３によってパネル３２が吸着されて保持される。かかる構成では、磁石が印刷ユニットの外部にある構成と比較して、磁石が印刷ユニットの外部から見え難い。これにより、印刷ユニットの外観性が向上する利点がある。
【００４７】
例えば、この実施例では、４つの磁石３３が印刷ユニット３１の凹部３１２の内壁面に取り付けられている（図６参照）。そして、これらの磁石３３とパネル３２とが凹部３１２内にて当接している。これにより、磁石３３の吸着力によってパネル３２が保持されている。また、このとき、印刷ユニット３１の外部からは、磁石３３がパネル３２に遮蔽されて見えないようになっている（図２参照）。
【００４８】
また、上記の構成では、パネル３２の前面（操作面）と印刷ユニット３１の壁面とが同一面上にある（図３参照）、或いは、パネル３２の前面が印刷ユニット３１の壁面よりも印刷ユニット３１の内部側にある（図示省略）ことが好ましい。すなわち、パネル３２の一部が印刷ユニット３１の壁面から突出しないように、パネル３２が印刷ユニット３１の壁面に埋設されることが好ましい。かかる構成では、パネルの一部が印刷ユニットの壁面から突出する構成と比較して、パネルが邪魔にならないという利点がある。特に、パネル３２は、印刷ユニット３１の通路側の壁面に配置されることが多い。このため、パネルの一部が印刷ユニットの壁面から突出していると、通行者等の邪魔にあるおそれがある。
【００４９】
例えば、この実施例では、パネル３２の前面が印刷ユニット３１の壁面に対して略同一面上にあるように（フラットとなるように）、パネル３２が配置されている（図３参照）。これにより、パネル３２が通行者の邪魔にならないように配置されている。また、併せて、印刷機１の外観の向上が図られている。特に、この印刷機１では、パネル３２が磁石３３の吸着力によって印刷ユニット３１の内部側から保持されるので、パネルがネジ留めされる構成と比較して、上記のようなパネル３２のフラットな配置が容易である。
【００５０】
また、上記の構成では、パネル３２と凹部３１２との嵌め合わせ部に工具挿入用の切欠部３４が設けられることが好ましい（図８および図９参照）。かかる構成では、パネル３２の交換作業時にて、切欠部３４に対して工具（例えば、マイナスドライバー等）が挿入されてパネル３２が凹部３１２から取り外される。これにより、パネル３２の交換作業が容易化される利点がある。特に、パネル３２が凹部３１２に嵌め込まれて配置されており、且つ、パネル３２の前面と印刷ユニット３１の壁面とが同一面上にある構成（図３参照）やパネル３２の前面が印刷ユニット３１の壁面よりも印刷ユニット３１の内部側にある構成（図示省略）では、パネル３２が取り外し難い。このため、パネル３２と凹部３１２との嵌め合わせ部に工具挿入用の切欠部３４が設けられることにより、パネル３２の交換作業が極めて容易となる。
【００５１】
例えば、図８に示す実施例では、パネル３２の前面と印刷ユニット３１の壁面とが同一面上にあり（図３参照）、印刷ユニット３１の凹部３１２の隅に切欠部３４が設けられている。また、図９に示す構成では、同様の構成にて、パネル３２の一つの端部に切欠部３４が設けられている。パネル３２の交換作業時には、これら切欠部３４に対して工具が挿入されてパネル３２が取り外される。
【００５２】
［付加的事項２］
また、この印刷機１では、磁石３３が印刷ユニット３１側に固定されることが好ましい（図６参照）。すなわち、磁石３３が印刷ユニット３１側に固定され、この磁石３３によりパネル３２が吸着されて保持される。かかる構成では、パネル３２の交換時にて、パネル３２のみを印刷ユニット３１から取り外して交換できる。これにより、パネル３２の交換作業が容易化される利点がある。例えば、パネル側に磁石が固定される構成では、パネルの交換時にて、磁石がパネルと一緒になって印刷ユニットから取り外される。すると、この磁石に周囲の金属部品などが吸着される等により、パネルの交換作業が阻害されるおそれがある。
【００５３】
また、この上記の構成では、磁石３３がパネル３２に対して背面側から吸着することが好ましい（図３参照）。かかる構成では、パネル３２の設置状態にて磁石３３がパネル３２の前面側（パネルシート部３２３側）から見えないので、印刷ユニットの外観性が向上する利点がある。
【００５４】
例えば、この実施例では、４つの磁石３３が印刷ユニット３１の凹部３１２の内壁面に取り付けられている（図６参照）。そして、これらの磁石３３によりパネル３２が吸着されて保持されている。このとき、すべての磁石３３がパネル３２に対して背面側から吸着するように、磁石３３とパネル３２との位置関係が設定されている（図２および図３参照）。具体的には、パネル３２がスチール製のパネル部３２２を有しており、このパネル部３２２の背面側端部に対して磁石３３が吸着している（図４参照）。これにより、パネル３２が設置されたときに、印刷ユニット３１の外部から磁石３３が見えないように工夫されている。
【００５５】
なお、上記に限らず、パネル３２が印刷ユニット３１の凹部３１２に嵌め込まれて配置される構成（図３および図６参照）において、パネル３２の側部（パネル３２を前面側から見たときの外周面）に対して磁石３３が吸着しても良い（図示省略）。かかる構成としても、パネル３２が磁石３３によって適正に保持され得る。
【００５６】
また、上記の構成では、磁石３３が印刷ユニット３１にネジ留めされて固定されることが好ましい。かかる構成では、簡易な構成にて、磁石３３が印刷ユニット３１に対して安定的に固定される利点がある。
【００５７】
例えば、この実施例では、磁石３３が樹脂製の磁石ケース３３１に挿入されて保持されている（図５参照）。そして、この磁石ケース３３１が印刷ユニット３１の本体部３１１にネジ留めされることより、磁石３３が印刷ユニット３１の本体部３１１に固定されている（図３および図６参照）。
【００５８】
また、これに限らず、印刷ユニット３１に係留部３１３が設けられ、磁石３３がこの係留部３１３に係止されて固定されても良い（図１０および図１１参照）。かかる構成としても、簡易な構成にて、磁石３３が印刷ユニット３１に対して固定される利点がある。
【００５９】
例えば、図１０および図１１に示す変形例では、磁石３３が爪３３２を有している。また、印刷ユニット３１の本体部３１１に板金加工が施されて、フック状の係留部３１３が形成されている。そして、磁石３３がこの係留部３１３に爪３３２を差し込んで配置されている。かかる構成では、磁石３３がネジ留めされる構成と比較して、磁石３３の取付作業が簡易化される。
【００６０】
［付加的事項３］
また、この印刷機１では、磁石３３が永久磁石であることが好ましい（図５参照）。かかる構成では、安価かつ簡易な構成にて、パネル３２が安定的に保持される利点がある。例えば、磁石が電磁石から成る構成（図示省略）では、停電時にてパネルが落下するおそれがある。また、磁石の代用として吸盤が用いられる構成（図示省略）では、長期に渡って安定的にパネルを保持することができない。
【００６１】
また、この印刷機１では、磁石３３が長尺構造を有し、かつ、その長手方向を鉛直方向に向けて配置されることが好ましい（図２参照）。かかる構成では、パネル３２が鉛直方向に対して効率的に支持される。これにより、パネル３２が安定的に保持される利点がある。特に、印刷機１の稼働時には、印刷ユニット３１が鉛直方向に上下に振動する。したがって、パネル３２が鉛直方向に対して強固に保持されることにより、振動によるパネル３２の落下等が未然に防止される。
【００６２】
しかし、これに限らず、磁石３３の長手方向が水平方向に向けられも良い（図１２）。かかる構成としても、これにより、パネル３２が安定的に保持され得る。
【００６３】
なお、この実施例では、４つの磁石３３が設置される（図２参照）が、磁石３３の設置個数は、これに限定されない。また、磁石３３の強さは、パネル３２の重量等に応じて当業者自明の範囲内にて任意に選択し得る。
【産業上の利用可能性】
【００６４】
以上のように、この発明にかかる印刷機は、印刷機を構成する印刷ユニット、給紙ユニット、排紙ユニット、その他のユニットに設置されるパネルの交換作業を容易化できる点で有用である。
【図面の簡単な説明】
【００６５】
【図１】この発明の実施例にかかる印刷機を示す構成図である。
【図２】図１に記載した印刷機のパネルの固定構造を示す説明図である。
【図３】図１に記載した印刷機のパネルの固定構造を示す説明図である。
【図４】図１に記載した印刷機のパネルの固定構造を示す説明図である。
【図５】図１に記載した印刷機のパネルの固定構造を示す説明図である。
【図６】図１に記載した印刷機のパネルの固定構造を示す説明図である。
【図７】図１に記載した印刷機のパネルの固定構造を示す説明図である。
【図８】図２に記載した印刷機のパネルの固定構造の変形例を示す説明図である。
【図９】図２に記載した印刷機のパネルの固定構造の変形例を示す説明図である。
【図１０】図２に記載した印刷機のパネルの固定構造の変形例を示す説明図である。
【図１１】図２に記載した印刷機のパネルの固定構造の変形例を示す説明図である。
【図１２】図２に記載した印刷機のパネルの固定構造の変形例を示す説明図である。
【符号の説明】
【００６６】
１     印刷機
２     給紙部
３     印刷部
３１   印刷ユニット
３１１ 本体部
３１２ 凹部
３１３ 係留部
３２   パネル
３２１ 基板部
３２２ パネル部
３２３ パネルシート部
３２４ ケーブル
３３   磁石
３３１ 磁石ケース
３３２ 爪
３４   切欠部
４     排紙部
【図１】
2009073063.tif 000003
【図２】
2009073063.tif 000004
【図３】
2009073063.tif 000005
【図４】
2009073063.tif 000006
【図５】
2009073063.tif 000007
【図６】
2009073063.tif 000008
【図７】
2009073063.tif 000009
【図８】
2009073063.tif 000010
【図９】
2009073063.tif 000011
【図１０】
2009073063.tif 000012
【図１１】
2009073063.tif 000013
【図１２】
2009073063.tif 000014